(57)【特許請求の範囲】
【請求項１】
隣接して配置した状態で近接した部材本体の縁部同士が連結される敷設部材において、
前記部材本体に、該部材本体より使用時に切り離される連結パーツを一体形成するとともに、前記部材本体の周縁より内側に、前記連結パーツに形成された一対の係止部の一方を係止する被係止部を設けたことを特徴とする敷設部材。
【請求項２】
前記連結パーツを、離間して設けられた棒状の前記係止部と、両係止部を連設する連設部とにより構成し、当該連結パーツを、使用時に切断される支持部を介して前記部材本体に連結する一方、
前記被係止部を、前記係止部を下面側から挿入して保持する下方開口状に形成したことを特徴とする請求項１記載の敷設部材。
【請求項３】
前記部材本体に、下面側に突出する脚部を複数設け、前記被係止部を、前記下面側に突出して前記係止部を挟持する一対の舌片により構成するとともに、前記部材本体から前記各舌片先端までの突出量を、前記部材本体から前記脚部先端までの範囲内に設定したことを特徴とする請求項２記載の敷設部材。
【請求項４】
前記部材本体を可撓性を有した部材で構成する一方、該部材本体上面に、複数に分割された表面形成部材を設けたことを特徴とする請求項１、２又は３にいずれか記載の敷設部材。
【発明の詳細な説明】
【０００１】
【発明の属する技術分野】
本発明は、庭やベランダ等に敷き詰められる敷設部材に関する。
【０００２】
【従来の技術】
従来、庭先やベランダを装飾する際には、敷設部材が用いられていた。
【０００３】
この敷設部材は、正方形状の部材本体からなり、該部材本体の各辺には、隣接した敷設部材同士を連結する為の連結部が形成されている。この連結部は、周縁より側方へ向けてキノコ型に突出した凸状の係合部と、該係合部を合致させた状態で係合する凹状の被係合部とが交互に形成されてなり、隣接した敷設部材の連結部における係合部と被係合部とを係合して、複数の敷設部材を連結することで、任意の形状に形成したり、任意の大きさに形成して所定の範囲に敷設できるように構成されている。
【０００４】
【発明が解決しようとする課題】
しかしながら、このような従来の敷設部材にあっては、周縁から側方へ向けて、凸状に形成された係合部及び凹状の被係合部とからなる連結部が突出形成されており、複数連結された敷設部材の周縁より凹凸形状の連結部が露出することとなる。これにより、見栄えが悪いという問題があった。
【０００５】
また、縁部よりキノコ型に突出した係合部には、外力が加えられやすく、折れ生じることもあった。この場合、敷設部材の組み直しや追加が困難になってしまう。
【０００６】
本発明は、このような従来の課題に鑑みてなされたものであり、外観品質を高めるとともに、使用時の不具合を回避することができる敷設部材を提供することを目的とするものである。
【０００７】
【課題を解決するための手段】
前記課題を解決するために本発明の請求項１の敷設部材にあっては、隣接して配置した状態で近接した部材本体の縁部同士が連結される敷設部材において、前記部材本体に、該部材本体より使用時に切り離される連結パーツを一体形成するとともに、前記部材本体の周縁より内側に、前記連結パーツに形成された一対の係止部の一方を係止する被係止部を設けた。
【０００８】
すなわち、この敷設部材を複数連結して使用する際には、部材本体に一体形成された連結パーツを切り離し、この連結パーツに形成された一方の係止部を、隣接して配置した一方の敷設部材の被係止部に係止するとともに、他方の係止部を、隣接した他方の敷設部材の被係止部に係止する。すると、両敷設部材は、前記連結パーツを介して、互いに連結される。このように、隣接した敷設部材を連結する連結パーツは、連結される部位のみに選択的に取り付けられる。
【０００９】
このとき、前記連結パーツが係止される被係止部は、前記部材本体の周縁より内側に設けられており、側方への突出が防止される。また、この連結パーツは、前記部材本体に一体形成されており、使用時に切り離される。
【００１０】
ここで、前記被係止部は、前記部材本体の周縁より内側に設けられていれば良く、前記連結パーツの係止部が挿入される挿入部を部材本体側面に開口したり、前記部材本体の上面側や下面側に設けても良い。特に、前記被係止部を部材本体の下面側に設けた場合、両敷設部材は、下面側に配置された連結パーツによって連結されることとなる。
【００１１】
また、請求項２の敷設部材においては、前記連結パーツを、離間して設けられた棒状の前記係止部と、両係止部を連設する連設部とにより構成し、当該連結パーツを、使用時に切断される支持部を介して前記部材本体に連結する一方、前記被係止部を、前記係止部を下面側から挿入して保持する下方開口状に形成した。
【００１２】
すなわち、前記連結パーツは、離間して設けられた棒状の係止部と、両係止部を連設する連設部とからなり、当該連結パーツは、支持部を介して部材本体に連結されることにより部材本体に一体形成されている。そして、前記被係止部は、前記係止部を下面側から挿入して保持する下方開口状に形成されており、構造の簡素化が図られる。
【００１３】
そして、棒状の係止部が、下方開口状の被係止部に挿入され保持されるため、連結パーツ取付後の回動が許容される。
【００１４】
さらに、請求項３の敷設部材では、前記部材本体に、下面側に突出する脚部を複数設け、前記被係止部を、前記下面側に突出して前記係止部を挟持する一対の舌片により構成するとともに、前記部材本体から前記各舌片先端までの突出量を、前記部材本体から前記脚部先端までの範囲内に設定した。
【００１５】
すなわち、部材本体の下面には、複数の脚部が突設されており、当該部材本体を設置部位に面接させる場合と比較して、接触面積を少なくすることができ、横滑り等が防止される。
【００１６】
また、被係止部は、下面側に突出した一対の舌片からなり、部材本体から各舌片先端までの突出量は、部材本体から脚部先端までの範囲内に設定されている。これにより、設置箇所への前記舌片の押圧による倒れが防止され、両舌片からなる被係止部の口開きが防止される。
【００１７】
加えて、請求項４の敷設部材にあっては、前記部材本体を可撓性を有した部材で構成する一方、該部材本体上面に、複数に分割された表面形成部材を設けた。
【００１８】
すなわち、連結パーツが切り離される部材本体上面には、表面形成部材が設けられており、連結パーツ切り離し後における外観品質が、前記表面形成部材によって保持される。
【００１９】
また、前記部材本体は可撓性を有しており、該部材本体上面には、複数に分割された表面形成部材が設けられている。このため、表面形成部材が厚肉の一枚板で構成される場合と比較して、地面などの設置場所の起伏に沿った配置が可能となり、不用意な浮き等が防止される。
【００２０】
ここで、部材本体に可撓性を持たせる方法としては、部材本体を合成樹脂など可撓性を有する材質で形成したり、硬質な部材に多数の開口部を設けて可撓性を付与する方法などが挙げられる。
【００２１】
【発明の実施の形態】
以下、本発明の一実施の形態を図に従って説明する。図１は、本実施の形態にかかる敷設部材１を示す分解斜視図であり、該敷設部材１は、複数連結され、庭先やベランダ等に敷き詰められて使用されるものである。
【００２２】
この敷設部材１は、正方形状の部材本体１１と、該部材本体１１上に設けられた表面形成部材１２とによって構成されている。該表面形成部材１２は、６本の木製の長板１３，・・・によって構成されており、各長板１３，・・・は、端部が加工されることで、前記部材本体１１上に斜めに並べて配置した状態で、該部材本体１１に合致する形状に形成されている。これにより、前記部材本体１１上面１４側の前記表面形成部材１２は、前記各長板１３，・・・によって複数に分割されている。
【００２３】
前記部材本体１１は、可撓性を有する合成樹脂が格子状に形成されてなり、矩形状の開口部２１，・・・が多数形成されている。つまり、当該部材本体１１は、可撓性を有した材質である合成樹脂で形成されるとともに、多数の開口部２１，・・・が設けられることによって可撓性が付与されている。この部材本体１１には、複数箇所にネジ挿通穴２２，・・・が設けられており、各ネジ挿通穴２２，・・・にタッピンネジ２３，・・・を挿入し、前記表面形成部材１２を構成する長板１３，・・・にねじ込むことによって、各長板１３，・・・を所定の位置に固定できるように構成されている。
【００２４】
この部材本体１１には、図２に示すように、長方形状のパーツ支持部３１，・・・が四箇所に設けられており、各パーツ支持部３１，・・・には、使用時に部材本体１１から切り離される連結パーツ３２，・・・が一体形成されている。
【００２５】
該連結パーツ３２は、離間して平行に設けられた棒状の係止部４１，４１と、両係止部４１，４１を両端にて連設する側方連設部４２，４２と、両係止部４２，４２を中央部にて連設する中央連設部４３とによって一体形成されている。この連結パーツ３２の前記両側方連設部４２，４２からは、連結パーツ３２を使用する際に切断される棒状の支持部４４，４４が延出しており、当該連結パーツ３２は、前記両支持部４４，４４を介して、前記部材本体１１に連結されている。前記両支持部４４，４４は、他の部位より小径に形成されており、前記連結パーツ３２を、この支持部４４，４４を中心に回転させることで、ねじ切れるように構成されている。
【００２６】
また、前記部材本体１１の周縁より内側には、図３にも示すように、前記連結パーツ３２に形成された各係止部４１，４１の一方を係止する被係止部５１，・・・が、下面５２側に設けられており、この被係止部５１に係止された前記連結パーツ３２によって、隣接して配置された部材本体１１，１１同士を、その縁部５３にて連結できるように構成されている。
【００２７】
前記被係止部５１は、図４の（ａ）にも示すように、前記部材本体１１の各辺に二箇所ずつ形成されており、前記係止部４１を下面５２側から挿入して保持する下方開口状に形成されている。すなわち、この被係止部５１は、図４の（ｂ）にも示すように、前記部材本体１１の下面５２側に平行して突出した一対の舌片６１，６１により形成されており、両舌片６１，６１は、使用状態にて下方に位置する先端側へ向かうに従って、互い近接するように傾斜して設けられている。これにより、両舌片６１，６１間に前記連結パーツ３２の前記係止部４１，４１を挟持した状態で、下方への離脱を防止し、当該連結パーツ３２を保持できるように構成されている。
【００２８】
前記両舌片６１，６１の中央部には、図４の（ａ）に示したように、前記連結パーツ３２の中央連設部４３が配置される切欠部７１がそれぞれ形成されており、両切欠部７１，７１の下縁同士は、図４の（ｂ）に示したように、連結片７２によって連結され、前記連結パーツ３２の前記係止部４１を支持できるように構成されている。この切欠部７１の幅寸法は、前記中央連設部４３の横幅より十分に大きく設定されているとともに、前記連結パーツ３２を取り付けた状態で、該連結パーツ３２の両側方連設部４２，４２と前記各舌片６１，６１の端縁７３，７３との間には、間隙が残存するように構成されている。これにより、前記被係止部５１に前記連結パーツ３２を取り付けた状態で、該連結パーツ３２の左右への移動を許容できるように構成されている。
【００２９】
そして、前記部材本体１１には、下面５２側に突出する多数の脚部８１，・・・が形成されており、周縁に設けられた脚部８１，・・・は、半円柱状に形成されるとともに、周縁より内側に設けられた脚部８１，・・・は、円筒状に形成されている。この部材本体１１から各脚部８１，・・・先端まで突出量Ｈ１は、図４の（ｂ）に示したように、前記部材本体１１から前記各舌片６１，６１先端までの突出量Ｈ２より大きく設定されており、前記部材本体１１から前記各舌片６１，６１先端までの突出量Ｈ２が、前記部材本体１１から前記脚部８１，・・・先端までの範囲内に収まるように構成されている。
【００３０】
以上の構成にかかる本実施の形態において、この敷設部材１を複数連結して使用する状態を、図面に従って説明する。なお、都合上、敷設部材１の部材本体１１上に設けられた表面形成部材１２を取り除いた図を用いて説明する。
【００３１】
先ず、図２に示したように、部材本体１１に一体形成された連結パーツ３２を捻って切り離し、該連結パーツ３２に残存した支持部４４，４４を根元から切断する。そして、この連結パーツ３２に形成された一方の係止部４１を、図３に示したように、隣接して配置した一方の敷設部材１における部材本体１１の被係止部５１に係止するとともに、他方の係止部４１を、隣接した他方の敷設部材１における部材本体の被係止部５１に係止する。すると、両敷設部材１，１は、前記連結パーツ３２を介して、互いに連結される。
【００３２】
このとき、隣接した敷設部材１，１を連結する連結パーツ３２，３２を、連結される部位のみに選択的に取り付けることができる。また、前記連結パーツ３２が係止される被係止部５１は、敷設部材１の部材本体１１の周縁より内側に設けられており、側方への突出が防止されている。このため、周縁から側方へ向けて凸状に形成された係合部及び凹状の被係合部からなる連結部が突出形成され、複数連結された敷設部材１，・・・の周縁から凹凸形状の連結部が露出する従来と比較して、外観品質を高めることができる。
【００３３】
また、縁部よりキノコ型の係合部が突出する構造上、この係合部分に外力が加えられた際に折れ等が生じ得る従来と比較して、使用時での不具合を未然に回避することができる。加えて、前記連結パーツ３２，３２を、両敷設部材１，１の下面５２側に配置した状態で、両敷設部材１，１を連結することができる。このため、前述した不具合の回避効果を、さらに高めることができる。
【００３４】
そして、前記連結パーツ３２は、前記部材本体１１に一体形成されており、使用時に切り離して利用することができる。このため、部材本体１１と連結パーツ３２，・・・とが別体で形成された場合と比較して、連結パーツ３２，・・・の紛失を防止することができるとともに、連結パーツ３２，・・・の梱包等が不要となり、低コスト化を図ることができる。
【００３５】
また、前記連結パーツ３２を、離間して設けられた棒状の係止部４１，４１と、両係止部４１，４１を連設する各連設部４２，４２，４３とにより構成するとともに、当該連結パーツ３２を、支持部４４，４４を介して部材本体１１に連結することで、部材本体１１に一体形成することができる。さらに、前記被係止部５１を、前記係止部４１が下面５２側から挿入される下方開口形状に形成することで、構造の簡素化を図ることができる。
【００３６】
そして、棒状の係止部４１を、下方開口状の被係止部５１に挿入して保持する構造のため、取付後の連結パーツ３２の回動を許容することができる。これにより、隣接する敷設部材１との連結作業性を容易に行うことができる。
【００３７】
さらに、部材本体１１の下面５２には、複数の脚部８１，・・・が突設されており、当該部材本体１１を、直接設置箇所に面接させる場合と比較して、接触面積を少なくすることができる。これにより、前記脚部８１，・・・先端を地面に食い込ませたり、ベランダ等の設置箇所では荷重を集中させることで、横滑りを防止することができる。そして、当該部材本体１１下部での水捌け性も向上することができる。
【００３８】
また、前記被係止部５１は、図４の（ｂ）に示したように、下面５２側に突出した一対の舌片６１，６１からなり、部材本体１１から各舌片６１，６１先端までの突出量Ｈ２は、部材本体１１から脚部８１，・・・先端までの範囲内に設定されている。これにより、設置箇所への前記舌片６１，６１の押圧による倒れを防ぐことができ、両舌片６１，６１からなる被係止部５１の口開きに起因した連結パーツ３２の不用意な離脱を防止することができる。
【００３９】
加えて、前記連結パーツ３２が切り離される部材本体１１上面１４には、図１に示したように、表面形成部材１２が設けられており、図３に示したように、連結パーツ３２切り離し後に開口状態となる長方形状のパーツ支持部３１，・・・の切り離し部分を、前記表面形成部材１２で覆うことができる。これにより、連結パーツ３２の切り離し後の開口部分の露出を防止することができ、外観品質を維持することができる。
【００４０】
また、前記部材本体１１は可撓性を有し、該部材本体１１上面１４には、複数に分割された表面形成部材１２の長板１３，・・・が設けられている。このため、表面形成部材１２が厚肉の一枚板で構成される場合と比較して、地面など設置場所の起伏に沿って屈曲させた配置が可能となり、不用意な浮き等を防止することができる。
【００４１】
なお、本実施の形態にあっては、前記被係止部５１，・・・が、前記部材本体１１の下面５２側に設けられた場合を例に挙げて説明したが、これに限定されるものでは無く、前記部材本体１１の周縁より内側に設けられていれば良く、前記部材本体１１の上面１４側に設けたり、前記連結パーツ３２の係止部が挿入される挿入部を部材本体１１側面に開口して設けても良い。
【００４２】
【発明の効果】
以上説明したように、本発明の請求項１の敷設部材にあっては、隣接して配置された敷設部材の連結パーツを、連結される部位のみに選択的に取り付けることができる。また、前記連結パーツが係止される被係止部は、敷設部材の部材本体の周縁より内側に設けられており、側方への突出が防止されている。
【００４３】
このため、周縁から側方へ向けて凸状に形成された係合部及び凹状の被係合部からなる連結部が突出形成され、複数連結された敷設部材の周縁から凹凸形状の連結部が露出する従来と比較して、外観品質を高めることができる。
【００４４】
また、縁部よりキノコ型の係合部が突出する構造上、この係合部分に外力が加えられた際に折れ等が生じ得る従来と比較して、使用時での不具合を未然に回避することができる。
【００４５】
ここで、前記被係止部は、前記部材本体の周縁より内側に設けられていれば良く、前記連結パーツの係止部が挿入される挿入部を部材本体側面に開口したり、前記部材本体の上面側や下面側に設けても良い。特に、前記被係止部を部材本体の下面側に設けた場合、両敷設部材は、下面側に配置された連結パーツによって連結されることとなる。この場合、連結パーツを、両敷設部材の下面側に配置した状態で、両敷設部材を連結することができる。このため、前述した不具合の回避効果を、さらに高めることができる。
【００４６】
そして、前記連結パーツは、前記部材本体に一体形成されており、使用時に切り離して利用することができる。このため、部材本体と連結パーツとが、別体で形成された場合と比較して、連結パーツの紛失を防止することができるとともに、連結パーツの梱包等が不要となり、低コスト化を図ることができる。
【００４７】
また、請求項２の敷設部材においては、前記連結パーツを、離間して設けられた棒状の係止部と、両係止部を連設する連設部とにより構成するとともに、当該連結パーツを、支持部を介して部材本体に連結することで、部材本体に一体形成することができる。さらに、前記被係止部を、前記係止部が下面側から挿入される下方開口形状に形成することで、構造の簡素化を図ることができる。
【００４８】
そして、棒状の係止部を、下方開口状の被係止部に挿入して保持するため、取付後の連結パーツの回動を許容することができる。これにより、隣接する敷設部材との連結作業性を容易に行うことができる。
【００４９】
さらに、請求項３の敷設部材では、部材本体の下面に複数の脚部が突設されており、当該部材本体を設置部位に面接させる場合と比較して、接触面積を少なくすることができる。これにより、前記脚部先端を地面に食い込ませたり、ベランダ等の設置箇所では荷重を集中させることで、横滑りを防止することができる。そして、当該部材本体下部での水捌け性も向上することができる。
【００５０】
また、被係止部は、下面側に突出した一対の舌片からなり、部材本体から各舌片先端までの突出量は、部材本体から脚部先端までの範囲内に設定されている。これにより、設置箇所への前記舌片の押圧による倒れを防ぐことができ、両舌片からなる被係止部の口開きに起因した連結パーツの不用意な離脱を防止することができる。
【００５１】
加えて、請求項４の敷設部材にあっては、連結パーツが切り離される部材本体上面には、表面形成部材が設けられており、連結パーツ切り離し後に形成される切り離し部分を前記表面形成部材で覆うことができる。これにより、連結パーツ切り離し後の外観品質を維持することができる。
【００５２】
また、前記部材本体は可撓性を有し、該部材本体上面には、複数に分割された表面形成部材が設けられている。このため、表面形成部材が厚肉の一枚板で構成される場合と比較して、地面など設置場所の起伏に沿った配置が可能となり、不用意な浮き等を防止することができる。
【図面の簡単な説明】
【図１】本発明の一実施の形態を示す分解斜視図である。
【図２】同実施の形態の部材本体を示す斜視図である。
【図３】同実施の形態の部材本体を連結した状態を示す説明図である。
【図４】（ａ）は部材本体の側面図であり、（ｂ）は連結部分を示す要部の断面図である。
【符号の説明】
１    敷設部材
１１    部材本体
１２    表面形成部材
１３    長板
３２    連結パーツ
４１    係止部
４２    側方連設部
４３    中央連設部
４４    支持部
５１    被係止部
５２    下面
５３    縁部
６１    舌片
８１    脚部
Ｈ２    突出量
【図１】
0003764127.tif 000002
【図２】
0003764127.tif 000003
【図３】
0003764127.tif 000004
【図４】
0003764127.tif 000005